(57)【要約】【課題】ランドセルの背環部分に、児童の髪の毛が噛み込むおそれを防止するランドセル用カバーを提供する。【解決手段】ランドセル４の冠５を覆うカバー面２の上縁に肩ひも通し用袖部３を延設し、袖部３は、左右両半部にそれぞれ張出した筒部３aを設けて、袖部を袋状に形成するとともに、裏面の下側と筒部の上側を開口部３ｂ、３ｃとして形成して、肩ひも６を挿通できるようにし、筒部裏面部分は、筒方向に分断するとともに端部が重合するように形成し、重合する両分断縁部分３ｊに雌雄ベルベット式ファスナー３ｋを対向装着して、カバー１を形成した。【選択図】  図１
2006043001.tif 000002
【特許請求の範囲】
【請求項１】
ランドセル用カバー上部に筒状の袖部を備え、該袖部に肩ひもを通すことによって背環部分を露出させないようにしたことを特徴とするランドセル用カバー。
【請求項２】
ランドセル用カバーの上部に２つの筒部を並設してなる請求項１に記載のランドセル用カバー。
【請求項３】
袖部を筒状に開閉可能な止着手段を備え付けてなる請求項１又は２に記載のランドセル用カバー。
【発明の詳細な説明】
【技術分野】
【０００１】
本発明は、ランドセルの背環に髪の毛を噛み込ませないようにするために、ランドセルに被せて使用するランドセル用カバーに関する。
【背景技術】
【０００２】
ランドセルを背負う児童の成長は早く、成長につれ身体と合わせて肩ひもの長さや左右の間隔を変えていかなければならない。また、ランドセルの脱着時のみならず、着用中も身体の動きにつれて左右肩ひもが移動するので、これらの変化に対応するには、肩ひもの上縁を単に背環に固定するのではなく、肩ひもの間隔、すなわち背環の取付け角度が可変となるように構成されていることが望ましい。
【０００３】
このようなことから、肩ひも上縁部を取付ける背環部分を回動可能な構成としたものが広く使用されつつある。しかし、このような背環部分は金属製であって、座金と回動部分との間に児童の髪の毛が噛み込み易く、特に着用しているランドセルを外すときにか見込みが生じ易く、このような事態が頻発し、そのたびに苦痛を生じさせていた。
仮に髪の毛を一つに束ねたり、三つ網等で編み込んだりしたとしても、ランドセルの構造上、背環部分は常に露出しており、髪の毛の絡まりを回避することは難しかった。さらに背負った状態で歩いたり、小走りしたりすると、その振動で肩ひもを通じて背環が動くため、さらに髪の毛が噛み込みやすくなり、その際の苦痛は大きいものであった。
【０００４】
一方、ランドセル用カバーは、雨天時にランドセルの冠（かぶせ）を保護するために使用されるカバーや、通学時の交通安全のための反射材を取付けたカバーが従来知られている。
【０００５】
特許文献１には、背負紐（肩ひも）を通す上側止め用孔を有するランドセル用カバーが開示されている。特許文献２には、担ぎバンド（肩ひも）を通す穴を有するランドセルの防水カバーが開示されている。特許文献３には、雨天時に使用するランドセルのカバーであって、ランドセルを背負うときに、雨用カバーが外れないようにしたランドセルの雨用カバーが開示されている。
【０００６】
【特許文献１】登録実用新案第３０７７２７８号公報
【特許文献２】実開昭５５−１２４２０号公報
【特許文献３】特開２００１−２５８６２７号公報
【発明の開示】
【発明が解決しようとする課題】
【０００７】
従来提案されているランドセル用カバーは、ランドセルの冠の保護を目的としたカバーや、交通安全を目的にしたカバーであって、背環に児童の髪の毛が噛み込む問題点に着眼したものは無く、そのような課題は解決されていなかった。
【０００８】
本発明の目的は、髪の毛が背環に噛み込むおそれがあるという新たな問題点に着眼し、背負いひもを通すための袖部を備えることで、背環が露出しないようにし、児童の髪の毛が背環に噛み込まないようにすることができる新規なランドセル用カバーを提供することにある。
【課題を解決するための手段】
【０００９】
本発明者は、このような課題に鑑み、ランドセル用カバーとして背環を被覆できるカバーを取付けることによって、上記課題を解決できることを見出し、本発明を完成するに至った。
【００１０】
すなわち、本発明は、ランドセル用カバーであって、その上縁に筒状の袖部を備え、該袖部に肩ひもを通すことによって背環を露出させないようにしたことを特徴とするランドセル用カバーである。
【００１１】
上記ランドセル用カバーの上縁には２つの筒部を並設するのが好ましい。また、上記袖部は筒状に開閉可能な止着手段、例えばベルベット式ファスナー若しくはホック等を備えて形成することが好ましい。
【発明を実施するための最良の形態】
【００１２】
図１は、ランドセル用カバーの最適な実施形態の一例を示す装着状態の斜視図である。図２は、図１のランドセル用カバーの上部表面図である。図３は、図２のランドセル用カバーの裏側を示す斜視図である。また、図４は、ランドセル用カバー装着状態を示す側面略図である。
【００１３】
ランドセル用カバー１は、ナイロン等の合成繊維、綿その他の任意素材で形成し、ランドセル４の冠５を覆うカバー面２の上縁に肩ひも通し用袖部３を延設してなっており、袖部３は、左右両半部にそれぞれ張出した筒部３a、３ａを設けて、袖部を袋状に形成するとともに、裏面の下側と筒部の上側を開口部３ｂ、３ｃとして形成し、肩ひも６を挿通できるようにしてある。
【００１４】
上記袖部３は、袖表面３ｄと袖裏面３eとを有して形成するのが好ましく、袖表面３dは、その下側がカバー面２の上縁沿いに縫着された縫着縁部３ｆとし、その上側には、左右両半部に上方に約４ｃｍ以上、好ましくは５〜１０ｃｍ程度の長さで張出した略々台形状乃至矩形状の筒部３a、３aの表面を形成し、両筒部表面の間は下側に向かって筒部途中まですぼまり傾斜したくびれ部３ｇを形成し、両筒部表面の外側下端部は縫着縁部両端に向かって下り傾斜した傾斜端部３ｈ、３ｈとして形成してある。袖裏面３eは、袖表面３dに重なる略々同形としてある。
上記両袖表裏面３d、３ｅは、中央くびれ部の上辺と、筒部表裏面の立ち上がり側辺と、傾斜端部の上辺で互いに縫合し、袖裏面３ｅの下辺は縫着せずに開放し、ここに袖部下側の開口部３ｉを形成して袋状に形成するとともに、筒部表裏面の上辺も縫着せずに開放して、ここに袖部上側の開口部３ｃを形成し、肩ひも６を挿通できるようにしてある。また、筒部上側の開口部３ｃ沿いにはゴムひもを挿着しておき、開口部３ｃが肩ひもに密着するように形成してある。
【００１５】
さらに、上記袖裏面３ｅの筒部裏面部分は、筒方向に分断するとともに端部が重合するように形成し、重合する両分断縁部分３ｊに止着手段としての雌雄ベルベット式ファスナー３ｋを対向装着し、肩ひも６への袖部３の着脱が簡便となるように、筒部３ａ、３ａを開閉自在としてある。なお、止着手段としてはベルベット式ファスナーが最適であるが、雌雄嵌合するホックなどを用いることもできる。
【００１６】
上記に係らず、筒部３ａ、３ａを上記のように分断せず、筒形のままとして形成することも可能である。
【００１７】
上記カバー１のカバー面２の長さは任意であり、カバー面２には、その上縁中央部の上辺沿いに、ランドセルの吊下げひもを挿通可能な開口部２ａを形成し、上縁部付近の左右端部に、ランドセルの冠への結着用止めひも２ｂ、２ｂの外端部を止着し、カバー面の下縁部に、冠５の下縁部への差込み係止可能な袋部２ｃを形成し、その下部中央部に、冠５の下部に延設したベロ乃至止め具を挿通可能な開口部を形成しておくことができる。
【００１８】
なお、カバー面２の下縁部には、上記構成を設けず、開放縁としておくこともでき、開放縁付近の左右端部に結着用止めひもの外端部を止着しておくこともできる。また、袖部３に左右筒部３ａ、３ａを各別に形成すれば、左右肩ひも６、６の自由な動きが十分に担保されるので好ましいが、一体的な筒部として形成することも可能である。
【００１９】
上記構成のランドセル用カバー１は次のように使用される。
先ず、カバー面２の止めひも２ｄを冠５に回して結着し、必要に応じてカバー下部を冠５下部に係止させ、次いで、カバー袖部３の筒部のベルベット式ファスナー３ｋを外して筒部３a、３ａを開放し、この筒部３ａ、３ａをランドセルの肩ひも６の付け根部に巻付けて、ベルベット式ファスナー３ｋを閉じるだけの簡単な操作で、カバー１をランドセル４に装着し、カバー１を肩ひも６の付け根部付近から冠５に渡ってその上側を被覆させ、かつ、袖裏面部分３ｅが適度に開いて背環付近を前側から立体的に被覆し、こうして肩ひも６上縁を取付けてある背環７部分周囲が確実に被覆されることになる。なお、カバー１の装着手順は上記にこだわらず任意である。
【００２０】
ランドセルの背負い状態において、ランドセルが揺れ或いは肩ひもがずれたとしても、背環は肩越しに開いた左右肩ひも間内に位置しており、一方、カバー面２の上部及び袖部３は、開いた左右肩ひも６、６の付け根部付近を抱持しつつ止着しているので、背環７部分は確実に被覆され、髪の毛の進入を生じさせず、髪の毛の噛み込みが生じるおそれがない。
【図面の簡単な説明】
【００２１】
【図１】本発明に係るランドセル用カバーの一例を示す装着状態の斜視図である。
【図２】図１のランドセル用カバーの上部表面図である。
【図３】図２のランドセル用カバーの裏側を示す斜視図である。
【図４】図１のランドセル用カバーの装着状態の側面略図である。
【符号の説明】
【００２２】
１：ランドセル用カバー
２：カバー面
２ａ：開口部
２ｂ：止めひも
２ｃ：袋部
３：袖部
３ａ：筒部
３ｂ：開口部
３ｃ：開口部
３ｄ：袖表面
３ｅ：袖裏面
３ｆ：縫着縁部
３ｇ：くびれ部
３ｈ：傾斜端部
３ｉ：開口部
３ｊ：分断縁部分
３ｋ：ベルベット式ファスナー
４：ランドセル
５：冠
６：肩ひも
７：背環
【図１】
2006043001.tif 000003
【図２】
2006043001.tif 000004
【図３】
2006043001.tif 000005
【図４】
2006043001.tif 000006